(57)【要約】      （修正有）【課題】所定部材の貼り合わせや固定に使用される両面粘着テープをベースセパレータ上から剥離することができないという事態を低減させることができる粘着シートを提供する。【解決手段】刃跡２ａが形成されたベースセパレータ２上に両面粘着テープ３が配置されてなる粘着シート１であって、両面粘着テープ３は、刃跡２ａからはみ出すようにベースセパレータ２上に配置されてなることを特徴としている。【選択図】図１
2016089010.tif 000002
【特許請求の範囲】
【請求項１】
刃跡が形成された基体上に粘着剤が配置されてなる粘着シートであって、
前記粘着剤は、前記刃跡からはみ出すように前記基体上に配置されてなる粘着シート。
【発明の詳細な説明】
【技術分野】
【０００１】
本発明は、携帯電話、ＰＤＡ等の携帯電子機器等の部品固定用や貼り合わせ用として主に用いられる粘着シートに関する。
【背景技術】
【０００２】
近年、携帯電話，ＰＤＡ，音楽プレーヤー等の携帯電子機器においては、情報表示部の保護パネルと筐体との貼り合わせをはじめ、各種部品やモジュールの固定に粘着シートが使用されている。
【０００３】
この粘着シートは、貼り合わせる部材や、固定する部材の形状に合わせて様々な大きさや形状に加工される（例えば、特許文献１参照）。このように所定形状に加工された粘着シートを図３に示す。
【０００４】
図３（ａ）に示すように、この粘着シート１００は、長尺状のベースセパレータ１０１と、このベースセパレータ１０１上に配置されている両面粘着テープ１０２と、この両面粘着テープ１０２上に配置されている重剥離セパレータ１０３とで構成されている。なお、ベースセパレータ１０１には、図示しない打ち抜き切断刃でハーフカット、すなわち、両面粘着テープ１０２を当該打ち抜き切断刃で所定形状に加工した際、当該ベースセパレータ１０１と上記打ち抜き切断刃が接触し、その際生じた刃跡１０１ａが形成されている。なお、ハーフカットとは、積層構造を有する構成物の一部の層のみを打ち抜き切断することをいうものである。
【０００５】
このように構成される粘着シート１００は、図３（ｂ）に示すように、ベースセパレータ１０１から両面粘着テープ１０２と重剥離セパレータ１０３が矢印Ｐ１０方向から剥離される。そして、その剥離された両面粘着テープ１０２が、所定部材の貼り合わせや固定に使用されることとなる。
【先行技術文献】
【特許文献】
【０００６】
【特許文献１】特開２０１０−１２１０６６号公報
【発明の概要】
【発明が解決しようとする課題】
【０００７】
しかしながら、上記のような粘着シート１００は、ベースセパレータ１０１から両面粘着テープ１０２をうまく剥離できない、すなわち、ベースセパレータ１０１上に両面粘着テープ１０２が残ってしまうという事態が度々発生し、当該両面粘着テープ１０２を所定部材の貼り合わせや固定に使用することができないという問題があった。この点、図４を用いて詳しく説明する。
【０００８】
図４（ａ）に示すように、この粘着シート１００は、図３（ａ）と同一の構成となっている。ただ、図４（ａ−１），（ａ−２），（ｂ）に示すように、ベースセパレータ１０１に形成されている刃跡１０１ａ内に両面粘着テープ１０２の一部１０２ａが流入している。これは、図示しない打ち抜き切断刃でハーフカット、すなわち、両面粘着テープ１０２を当該打ち抜き切断刃で所定形状に打ち抜き加工した際生じた刃跡１０１ａ内に当該打ち抜き切断刃を介して上記両面粘着テープ１０２の一部１０２ａが流入したものと考えられる（図４（ａ−２）参照）。
【０００９】
この状態で、ベースセパレータ１０１から両面粘着テープ１０２と重剥離セパレータ１０３を図４（ｃ）に示す矢印Ｐ１１方向から剥離しようとすると、刃跡１０１ａ内に流入している両面粘着テープ１０２の一部１０２ａが邪魔をしてベースセパレータ１０１から両面粘着テープ１０２を剥離させることができず、重剥離セパレータ１０３だけが剥離されてしまうという問題があった。
【００１０】
そこで、本発明は、上記問題に鑑み、所定部材の貼り合わせや固定に使用される粘着剤（両面粘着テープ）を基体（ベースセパレータ）上から剥離することができないという事態を低減させることができる粘着シートを提供することを目的としている。
【課題を解決するための手段】
【００１１】
上記本発明の目的は、以下の手段によって達成される。なお、括弧内は、後述する実施形態の参照符号を付したものであるが、本発明はこれに限定されるものではない。
【００１２】
請求項１の粘着シートによれば、刃跡（２ａ）が形成された基体（ベースセパレータ２）上に粘着剤（両面粘着テープ３）が配置されてなる粘着シートであって、
前記粘着剤（両面粘着テープ３）は、前記刃跡（２ａ）からはみ出すように前記基体（ベースセパレータ２）上に配置されてなることを特徴としている。
【発明の効果】
【００１３】
次に、本発明の効果について、図面の参照符号を付して説明する。なお、括弧内は、後述する実施形態の参照符号を付したものであるが、本発明はこれに限定されるものではない。
【００１４】
請求項１の発明によれば、粘着剤（両面粘着テープ３）を刃跡（２ａ）よりはみ出させて基体（ベースセパレータ２）上に配置しているから、刃跡（２ａ）内に粘着剤（両面粘着テープ３）を進入させる事態を低減させることができる。それゆえ、粘着剤（両面粘着テープ３）が基体上（ベースセパレータ２）から剥離されないという事態を低減させることができる。
【図面の簡単な説明】
【００１５】
【図１】（ａ）は本発明の一実施形態に係る粘着シートの断面図、（ｂ）は同実施形態に係るベースセパレータから両面粘着テープが正常に剥離された状態を示す断面図である。
【図２】（ａ−１）は同実施形態に係る粘着シートが形成される前の前粘着シートの断面図、（ａ−２）は（ａ−１）に示すＡ１部分の拡大図、（ｂ）は（ａ−１）に示す前粘着シートが押圧部材に押圧される前の状態を示す断面図、（ｃ−１）は（ｂ）に示す押圧部材によって前粘着シートが押圧された後の状態を示す断面図、（ｃ−２）は（ｃ−１）に示すＡ２部分の拡大図である。
【図３】（ａ）は従来の粘着シートの断面図、（ｂ）はベースセパレータから両面粘着テープが正常に剥離された状態を示す断面図である。
【図４】（ａ−１）は従来の粘着シートの断面図、（ａ−２）は（ａ−１）に示すＡ１０部分の拡大図、（ｂ）はベースセパレータから両面粘着テープが正常に剥離されなかった状態を示す断面図である。
【発明を実施するための形態】
【００１６】
以下、本発明に係る粘着シートの一実施形態を、図１及び図２を参照して具体的に説明する。
【００１７】
図１（ａ）に示すように、本実施形態に係る粘着シート１は、長尺状のベースセパレータ２と、このベースセパレータ２上に配置されている両面粘着テープ３と、この両面粘着テープ３上に配置されている重剥離セパレータ４とで構成されている。
【００１８】
ベースセパレータ２は、長尺状に形成されており、フッ素系ポリマー（例えば、ポリテトラフルオロエチレン、ポリクロロトリフルオロエチレン、ポリフッ化ビニル、ポリフッ化ビニリデン、テトラフルオロエチレン−ヘキサフルオロプロピレン共重合体、クロロフルオロエチレン−フッ化ビニリデン共重合体等）からなる低接着性基材、無極性ポリマー（例えば、ポリエチレン、ポリプロピレン等のオレフィン系樹脂など）からなる低接着性基材等で形成されている。そして、このように形成されるベースセパレータ２には、上記両面粘着テープ３を図示しない打ち抜き切断刃で所定形状に加工した際、当該ベースセパレータ２と上記打ち抜き切断刃が接触し、その際生じた刃跡２ａが形成されている。
【００１９】
一方、両面粘着テープ３は、貼り合わせる部材や、固定する部材の形状に合わせて、図示しない打ち抜き切断刃で所定形状に加工されており、アクリル系等の粘着剤で形成されている。そして、このように形成される両面粘着テープ３は、図１（ａ）に示すように、その一部３ａが上記刃跡２ａよりはみ出して、ベースセパレータ２上に配置されている。なお、両面粘着テープ３の一部３ａのはみ出し量（刃跡２ａからのはみ出し量）は、約０．０３ｍｍ〜０．０５ｍｍである。
【００２０】
他方、重剥離セパレータ４は、両面粘着テープ３よりも若干幅広に形成されており、例えば、ポリエチレンテレフタレート、ポリプロピレン、ポリエチレン、ポリエステル等の重合体フィルムで形成されている。
【００２１】
かくして、このように形成されている粘着シート１は、図１（ｂ）に示すように、ベースセパレータ２から両面粘着テープ３と重剥離セパレータ４が矢印Ｐ１方向から剥離される。これにより、その剥離された両面粘着テープ３が、所定部材の貼り合わせや固定に使用される。
【００２２】
しかして、このように、両面粘着テープ３の一部３ａを刃跡２ａよりはみ出させてベースセパレータ２上に配置するようにすれば、刃跡２ａ内に両面粘着テープ３の一部３ａを進入させる事態を低減させることができるから、もって、両面粘着テープ３がベースセパレータ２から剥離されないという事態を低減させることができる。
【００２３】
この点、どのように、両面粘着テープ３の一部３ａを刃跡２ａよりはみ出させてベースセパレータ２上に配置するのかを図２を用いて説明することとする。
【００２４】
図２には、図１に示す粘着シート１を形成する前の前粘着シート１０の断面図が示されている。この前粘着シート１０は、図２（ａ−１）に示すように、長尺状のベースセパレータ２と、このベースセパレータ２上に配置されている両面粘着テープ３と、この両面粘着テープ３上に配置されている工程セパレータ５とで構成されている。なお、ベースセパレータ２には、上記両面粘着テープ３を図示しない打ち抜き切断刃で所定形状に加工した際、当該ベースセパレータ２と上記打ち抜き切断刃が接触し、その際生じた刃跡２ａが形成されている。
【００２５】
工程セパレータ５は、上記打ち抜き切断刃（図示せず）で上記両面粘着テープ３を所定形状に加工する際、当該両面粘着テープ３上に配置されていることから、当該両面粘着テープ３と共に所定形状に加工されるため、上記両面粘着テープ３と同形状に形成される。また、工程セパレータ５は、剥離処理層を有する基材、フッ素ポリマーからなる低接着性基材、無極性ポリマーからなる低接着性基材等で形成されている。
【００２６】
ところで、この前粘着シート１０は、図２（ａ−１）及び図２（ａ−２）に示すように、両面粘着テープ３を上記打ち抜き切断刃（図示せず）で所定形状に打ち抜き加工した際生じた刃跡２ａ内に当該打ち抜き切断刃（図示せず）を介して上記両面粘着テープ３の一部３ａが流入している。
【００２７】
この状態で、図２（ｂ）に示すように、前粘着シート１０の工程セパレータ５の右端部側（刃跡２ａが形成されている側）を矢印Ｐ２方向に移動してきた四角形状の押圧部材Ｋによって押圧する。これにより、両面粘着テープ３の右端部側も押圧され、もって、その押圧によって、刃跡２ａ内に流入している上記両面粘着テープ３の一部３ａが、当該刃跡２ａ外に飛び出ることとなる。それゆえ、図２（ｃ−１）及び（ｃ−２）に示すように、両面粘着テープ３の一部３ａが、刃跡２ａよりはみ出るようにベースセパレータ２上に配置されることとなる。
【００２８】
かくして、このように形成された前粘着シート１０は、工程セパレータ５が両面粘着テープ３から剥離され、図１（ａ）に示すように、その両面粘着テープ３に重剥離セパレータ４が貼着される。これにより、両面粘着テープ３上に重剥離セパレータ４が配置され、粘着シート１が形成されることとなる。
【００２９】
このように粘着シート１が形成されると、図１（ｂ）に示すように、ベースセパレータ２から両面粘着テープ３と重剥離セパレータ４が矢印Ｐ１方向から剥離され、もって、その剥離された両面粘着テープ３が、所定部材の貼り合わせや固定に使用されることとなる。
【００３０】
しかして、本実施形態によれば、両面粘着テープ３を刃跡２ａよりはみ出させてベースセパレータ２上に配置しているから、刃跡２ａ内に両面粘着テープ３を進入させる事態を低減させることができる。それゆえ、両面粘着テープ３がベースセパレータ２から剥離されないという事態を低減させることができる。
【００３１】
また、本実施形態によれば、両面粘着テープ３を刃跡２ａよりはみ出させてベースセパレータ２上に配置させるにあたって、押圧部材Ｋによって、押圧しているだけであるから、簡単容易に両面粘着テープ３を刃跡２ａよりはみ出させてベースセパレータ２上に配置させることができる。
【符号の説明】
【００３２】
１        粘着シート
２        ベースセパレータ（基体）
２ａ      刃跡
３        両面粘着テープ（粘着剤）
【図１】
2016089010.tif 000003
【図２】
2016089010.tif 000004
【図３】
2016089010.tif 000005
【図４】
2016089010.tif 000006